(57)【要約】【課題】  輝度の高い光源を光学系で直視すると集光された光束は、一度絞り近傍で集光されることになり、軽量の樹脂絞り羽根においては、高温化されることになり、羽根表面の変形や溶解が発生し、絞り羽根の不作動を発生されることになる。【解決手段】  第１の絞り羽根の前に、第１の絞り羽根よりも耐熱性の高い材料の第２の絞り羽根を配置する。第１の絞り羽根を輝度の強い光線から保護する様に、第２の絞り羽根の口径を制御することで、第１の絞り羽根への光線の照射を遮断する。【選択図】  図１
2012113015.tif 000002
【特許請求の範囲】
【請求項１】
第１の絞り羽根を有した第１の絞り手段、第１の絞り羽根より耐熱性の高い第２の絞り羽根を有した第２の絞り手段、第１の絞り羽根の入射光方向の前側に第２の絞り羽根を配置され、高輝度被写体にレンズが向けられていることを判別する判別手段を設けた光学装置において、
高輝度被写体にレンズが向けられていることが判別された時に
Ｈ.第１の絞り羽根の絞り口径より第２の絞り羽根の口径をより小さく成るように絞り手段の制御を行なうことを特徴とした光学装置。
【請求項２】
第１の絞り羽根の材質に樹脂を用い、第２の絞り羽根の材質に金属を用いたことを特徴とした請求項１に記載の光学装置。
【発明の詳細な説明】
【技術分野】
【０００１】
本発明は、ビデオカメラやデジタルカメラ等の撮像装置に用いられる絞り装置及び光学装置に関するものである。
【背景技術】
【０００２】
ビデオカメラやフィルムカメラなどの光学機器に用いられているレンズ鏡筒にあっては、一般に、光学系で一番径の大きな第１レンズ群を最前部に配置しその後、変倍用（ズーミング用）又はフォーカス用の移動レンズ群、及び固定レンズ群が配置されている。また、光学系の途中に露出制御を行う為の絞りが設けられている。（特許文献１）
【先行技術文献】
【特許文献】
【０００３】
【特許文献１】特開２０００−２３１０４９号公報
【発明の概要】
【発明が解決しようとする課題】
【０００４】
光学系の前玉は、ズーム倍率が増すごとに大口径化する傾向に有り、光線の集光能力も高い状態と成っている。
【０００５】
ここで、輝度の高い光源、例えば太陽等を直視すると集光された光束は、特にテレ側においては一度絞り近傍で集光されることになる。
【０００６】
絞りも高輝度被写体の為、小絞り状態と成る。
【０００７】
したがって、黒色の絞り羽根面は可視光を含み、熱線によって高温化されることになる。
【０００８】
この時、羽根の材料の耐熱温度以上に熱せられると、羽根表面の変形や溶解が発生し、絞り羽根の不作動を発生されることになる。
【０００９】
耐熱性の高い材料として金属羽根を正規光量制御に用いた場合、駆動力の小さい小型のアクチュエータを用いて駆動すると、金属羽根の重量負荷と摺動抵抗の増加により制御性の問題を持ち、羽根の作動にリップル（ピクツキ）を起こすことに成る。
【００１０】
業務用カムコーダ用のレンズには、絞り羽根に金属羽根を用いている。
【００１１】
しかしアクチュエータには、高トルク高消費電力を必要としている為、大型の減速ギヤード付きのコアレスＤＣモータが用いられている。
【００１２】
この業務用カムコーダ用の絞りアクチュエータを小型カムコーダに用いることは現実的では無い。
【００１３】
その為に特に小型の絞り駆動用のアクチュエータを用いている民生用のカムコーダカメラでは、絞り羽根の自重の軽減による摺動抵抗の軽減と、消費電力の軽減から、樹脂羽根が用いられている。
【００１４】
その結果、業務用カムコーダ用のレンズの金属羽根を用いた虹彩絞りに対して、羽根駆動用のアクチュエータを小型化出来、省エネ駆動を可能としており、カメラの小型省エネ化を可能としている。
【課題を解決するための手段】
【００１５】
第１の絞り羽根の前に、第１の絞り羽根よりも耐熱性の高い材料の第２の絞り羽根を配置する。第１の絞り羽根を輝度の強い光線から保護する様に、第２の絞り羽根の口径を制御することで、第１の絞り羽根への光線の照射を遮断する。
【発明の効果】
【００１６】
前玉から入射した太陽光を、第１の絞り羽根への光線の照射を遮断することで、第１の絞り羽根表面の高温化を防ぐことが出来る。結果、第１の絞り羽根の変形や溶解の発生を防止することで、第１の絞り羽根の不作動を防ぐ事が出来る。
【図面の簡単な説明】
【００１７】
【図１】本発明の実施例１のレンズ鏡筒断面図
【図２】本発明の実施例１の分解斜視図
【図３】本発明の実施例１の第１絞り手段の図
【図４】本発明の実施例１の第２絞り手段の図
【図５】本発明の実施例１のブロック図
【発明を実施するための形態】
【００１８】
［実施例１］
図１には、本発明の実施例であるビデオカメラやデジタルカメラ等の撮像装置（以下、カメラという）の構成を示している。
【００１９】
図１において、撮影光学系は、物体側（各図の左側）から順に、凸，凹，凸，凸の４つのレンズユニットにより構成された変倍光学系（ズームレンズ系）である。
【００２０】
図１において、Ｌ１は第１レンズユニット、Ｌ２は光軸方向に移動することにより変倍作用を行なう第２レンズユニット、Ｌ３はアフォーカルレンズ群である。Ｌ４は光軸方向に移動することにより焦点調節作用を行う第４レンズユニットである。
【００２１】
１は第１群レンズＬ１を保持した固定鏡筒、２はローパスフィルタ３を保持した後部鏡筒であり、さらにローパスフィルタ３の後方には図示しない撮像素子センサが取り付けられる。
【００２２】
４はブレ補正のため光軸と直角方向に駆動される補正レンズである第３群レンズＬ３を保持したブレ補正ユニットを示し、固定鏡筒１と後部鏡筒２に挟持され、ビスによって固定されている。
【００２３】
５は第２群鏡筒を示し、ズーミングを行う第２群レンズＬ２を保持している。第２群鏡筒５は前後を固定鏡筒１と後部鏡筒２に保持されている２本のガイドバー６ａ，６ｂによって光軸方向へ移動自在に保持されている。
【００２４】
７はフォーカス調節を行う第４群レンズＬ４を保持した第４群鏡筒を示し、第２群鏡筒５と同様にガイドバー６ａ，６ｂによって光軸方向へ移動自在に保持されている。
【００２５】
ガイドバー６ａ，６ｂは光軸をはさんで設けられており、これら２本のガイドバー６ａ，６ｂによって第２群鏡筒５と第４群鏡筒７の光軸方向の案内と光軸周りの回り止めとを行っている。
【００２６】
８は電磁アクチュエータによって第１の絞り手段を構成する絞り羽根８２０を駆動するＩＧメータ（ＩＧメータユニット）を示し、固定鏡筒１とブレ補正ユニット４によって挟持されている。
【００２７】
第１の絞り手段の絞り開口径は撮像素子に入射する光量に対応して可変としている。
【００２８】
尚、この第１の絞り手段は、Ｆナンバーを実質的に決定する、本実施形態では６枚の樹脂羽根より成る。
【００２９】
８０３は第２の絞り手段を構成する絞り羽根であり、本実施形態では２枚の金属羽根より成る。
【００３０】
９はズームモータを示し、コの字形をした板金に駆動部と出力ネジ部が一体に保持されている。ズームモータ９は固定鏡筒１にビスで固定されている。
【００３１】
一方、第２群鏡筒５にはラック１０が取付けられており、ラック１０がズームモータ９のネジ部と噛合することによって光軸方向に駆動される。この際ラック１０は、ばね１１によって噛合方向と、光軸方向に付勢されており、噛合いガタとスラストガタを取り除くようにしている。
【００３２】
１２はフォーカスモータを示し、ズームモータ９と同様な構造であり後部鏡筒２にビスで固定されている。
【００３３】
第４群鏡筒７にも第２群鏡筒５と同様にラック１３、及びばね１４が取り付けられ、ラック１３がフォーカスモータ１２のネジ部に噛合することで光軸方向に駆動されるよう構成されている。
【００３４】
ラック１０，１３はそれぞれ、第２群鏡筒５と第４群鏡筒７に光軸方向に延びるよう形成された穴部５ａ，７ａに軸部１０ａ，１３ａを嵌合させて取り付けられ、第２群鏡筒５、第４群鏡筒７に対して上部軸部１０ａ，１３ａを中心に揺動可能となっている。
【００３５】
このため、ガイドバー６ａ，６ｂとモータ出力軸との平行度にズレがあっても第２群鏡筒５、第４群鏡筒７のスムーズな移動が確保できる。
【００３６】
又、ラック１０，１３はそれぞればね１１，１４によって揺動方向に付勢され、ラック１０，１３の噛合部はモータ出力ネジに圧接している。
【００３７】
このためラック１０，１３の噛合部とモータ出力軸の雄ネジとを確実に噛合させることができる。本実施例では、ズームモータ９、フォーカスモータ１２はステッピングモータを使用している。
【００３８】
１５はインタラプタを示し、基板１６に端子を半田付けした後、固定鏡筒１にビスで固定されている。フォトインタラプタ１５は投光部と受光部の間を第２群鏡筒に一体的に設けた遮光壁部５ｂが通過することで第２群鏡筒５の基準位置を検出し、ズームモータ９に入力するパルス数によって各ズーム位置へ駆動するよう構成されている。
【００３９】
フォーカス調節も同様に、第４群鏡筒７に設けた遮光壁部７ｂを後部鏡筒２に取付けたフォトインタラプタ１７、基板１８によって基準位置として検出しステップ駆動するよう構成している。
【００４０】
図５は本発明に関わる第１の絞り手段の構成を説明する図であり、同図において、８２０は６枚の羽根を示し、穴部８２０ａが固定枠８０１上に設けたボス８０１ｃに係合し回転自在に保持されている。又、羽根８２０には長穴８２０ｂが設けられており、光軸回りに回転自在に保持されたリング８２１に設けたボス８２１ａに係合している。
【００４１】
リング８２１は外周に伸びた部分に長穴８２１ｂを有しており、固定枠８０１に取り付けられた第２の絞り駆動用メータ８２２の回転軸に一体に取り付けられたアーム８２３のボス８２３ａに係合している。
【００４２】
従ってメータ８２２の回転トルクは、アーム８２３を介してリング８２１に伝えられ、リング８２１の回転により６枚の羽根８２０がそれぞれ穴８２０ａ回りに回転し開口径を変化させている。
【００４３】
第１の絞り手段は、撮影時の露出制御の為の絞り径を決めるものである為に、動画時の絞り羽根の動きには、精度良く滑らかに動く必要が有る。
【００４４】
仮に羽根の作動時に羽根同士の端面での引っ掛かりや、羽根表面の摺動抵抗変化による作動のピクツキなどのリップル現象を起こすと、撮影画像に輝度ショックが発生する事になり、大きな問題と成る。
【００４５】
耐熱性の高い材料として金属羽根を正規光量制御に用いた場合、駆動力の小さい小型のアクチュエータを用いて駆動すると、金属羽根の重量負荷と摺動抵抗の増加により制御性の問題が発生し、羽根の作動にリップル（ピクツキ）を起こすことに成る。
【００４６】
業務用カムコーダ用のレンズには、絞り羽根に金属羽根を用いている。
【００４７】
しかしアクチュエータには、高トルク高消費電力を必要としている為、大型の減速ギヤード付きのコアレスＤＣモータが用いられている。
【００４８】
この業務用カムコーダ用の絞りアクチュエータを小型カムコーダに用いることは現実的では無い。
【００４９】
その為に特に小型の絞り駆動用のアクチュエータを用いている民生用のカムコーダカメラでは、絞り羽根の自重の軽減による摺動抵抗の軽減と、消費電力の軽減から、ポリエチベースの樹脂羽根が用いられている。
【００５０】
その結果、業務用カムコーダ用のレンズの金属羽根を用いた虹彩絞りに対して、羽根駆動用のアクチュエータを小型化出来、省エネ駆動を可能としている。
【００５１】
図４には上記制御システムを示している。
【００５２】
７０は本システム全体の制御を司るマイコンである。７１は振動ジャイロ等によって構成されるブレセンサであり、カメラのブレを角速度や角度として検出する。
【００５３】
マイコン７０は、ブレセンサからの検出信号に基づいてカメラブレ量を演算し、このカメラブレによって生ずる像ブレをキャンセルするよう補正レンズＬ３の目標位置を演算する。
【００５４】
そして、この移動量の演算結果に応じて、電磁アクチュエータのコイル４５ａ，４５ｂに通電し、補正レンズＬ３を駆動する。その際、補正レンズＬ３の位置を補正レンズ位置センサ（５０，５１）により検出し、マイコン７０にフィードバックすることで演算された目標位置に制度良く駆動される。ズームレンズにおいては、焦点距離によって同一ブレ量であってもこれをキャンセルさせる補正レンズＬ３の移動量（目標位置）が変化する。
【００５５】
そのため、第２群レンズＬ２の駆動パルス数を計測し、ズーム位置センサ７２により焦点距離を検出し、それに応じて補正レンズＬ３の駆動量を変化させるよう構成している。
【００５６】
７３は撮像素子から得られた映像信号から光量を検出するための光量センサである。
【００５７】
マイコン７０は光量センサ７３からの検出信号に基づき所定の光量となるように第１絞り駆動メータ８２２に通電し羽根８２０を駆動する。
【００５８】
ここで高輝度被写体の判定は、露出オート時の絞り値から行なうことが出来る。
【００５９】
加えてその時の撮像素子からの明るさの信号からも判定を行なうことは出来る。
【００６０】
マニュアル絞りの時は、撮像素子からの明るさの信号によって判定を行なうことに成る。
【００６１】
別手段としては、別途高輝度被写体検出光学系を撮影系とは別に設けて判定を行なうことも出来る。
【００６２】
また、絞り羽根表面の照度を別途センサー部を設けて測定＆判定することも出来る。
【００６３】
絞り羽根表面の照度測定の変わりに非接触で温度を検知することでも可能である。
【００６４】
温度測定に放射赤外線量を測定することでも構わない。
【００６５】
高輝度被写体の判定が行なわれると第２絞り羽根によって、第１絞り羽根の表面を覆うような絞り状態を形成する。
【００６６】
第４図は、第２の絞り手段を構成するユニットの羽根駆動図である。
【００６７】
第２の絞り手段は、メータ８００の作動によって、駆動アーム８０２を介して、８０３、８０４の２枚の羽根を駆動している。
【００６８】
第４−d図は駆動アームと２枚の羽根の状態を光軸と垂直な方向から示した図である。
【００６９】
第４−a図は開放状態を示す。
【００７０】
第４−b図の光軸中央の６角形開口は、第１の絞り羽根の最小制御の小絞り状態である。
【００７１】
通常第２の絞り手段は最小小絞り状態を除き、いかなる場合もこの第１の絞り羽根の６角形開口を覆わない口径に制御されている。
【００７２】
第４−c図は前記判別手段によって、高輝度被写体にレンズが向けられている時の絞り開口の大きさの関係を示した図である。
【００７３】
高輝度被写体の判定が行なわれると、第２絞り羽根が開放径近傍からシャッター動作を行ない、羽根が全作動域端の最小小絞り状態に成っている。
【００７４】
または、第４−b図の第１絞り羽根の口径よう大きな第２絞り羽根の口径状態から、最小小絞り状態と成る。
【００７５】
この第２絞り羽根の小絞り端の絞り径をＮとするとこの時の第１絞り羽根は、前記絞り径Ｎより大きなＭの状態を高輝度被写体の判定時のカメラ使用時におけるクローズ前の最小小絞り制御状態と成っている。
【００７６】
したがって、第１絞り羽根が最小作動小絞り状態の時において、高輝度被写体からの光を、第２絞り羽根で覆うことが出来る。
【００７７】
ここで、第２の絞り手段に用いるアクチュエータは,シャッター用の小型アクチュエータを使用することが出来る。
【００７８】
なぜなら、決められた最小小絞り状態のみを再現すれば良く、光量制御の為に口径を絞り羽根で制御することが無くても構わない。
【符号の説明】
【００７９】
１：固定鏡筒          ２：後部鏡筒      
３：光学ローパスフィルタ    ４：ブレ補正ユニット
５：第２群鏡筒      ６：ガイドバー      
７：第４群鏡筒    ８：絞りＩＧメータユニット
９：ズームモータ      １０：ズームラック
１１：ズームラックばね    １２：フォーカスモータ
１３：フォーカスラック      １４：フォーカスラックばね    
１５：フォトインタラプタ（ズームセンサー）    １６：基板  
１７：フォトインタラプタ（フォーカスセンサー）    １８：基板
【図１】
2012113015.tif 000003
【図２】
2012113015.tif 000004
【図３】
2012113015.tif 000005
【図４】
2012113015.tif 000006
【図５】
2012113015.tif 000007